(57)【要約】      （修正有）【課題】使用角度に従い自己回転して修正テープの使用方向が変えられるようにした、自己回転式修正テープの構造を提供する。【解決手段】外ケース１１と、内ケース１２と、テープ送りモジュール１３と、を備える。外ケースは、開口部１１１１を設けられ、開口部の付近場所は輪状の支え面１１１２を設けられている。内ケースは外ケースの内部に移動自在にて設けられ、内ケースは支え面に対応して近接機構１２２を設けられている。これにより、内ケースは外ケースに対向して軸方向の自転を形成し、テープ送りモジュールは内ケースに内設されており、その一端はテープ案内口１３２を設けられている。使用するとき、テープ案内口は受圧により、内ケースを外ケースの内部にて軸方向の回転を連動し、使用時の操作手振りを調節でき、使用上の利便性が向上する。【選択図】図３
0003175432.tif 000002
【実用新案登録請求の範囲】
【請求項１】
外ケースと、内ケースと、テープ送りモジュールと、を備える、自己回転式修正テープの構造であって、
前記外ケースは円チューブ状の構造体を形成され、開口部を有し、前記開口部付近の内部は輪状の支え面を形成する、
前記内ケースは、移動自在にて前記外ケースに内設され、前記支え面に対応して近接機構を設けられ、前記近接機構を前記支え面に当接することによって、前記外ケースに対して軸方向に自転することができる、収容空間をさらに内設する、
前記内ケースの前記収容空間に内設する前記テープ送りモジュールは、
前記内ケースの一端に設けられ、連動式に設けていて、かつ同期して回転可能の、少なくとも一対の材料巻き込みレールと、
前記内ケースの片側に設けられ、前記内ケースと、前記外ケースを通り抜けて、傾斜部を有する、テープ案内口と、
両端部はそれぞれ前記材料巻き込みレールに巻き付けられ、かつ前記テープ案内口の前記傾斜部に巻き付けて、下方に押さえる修正テープと、を有する、自己回転式修正テープの構造。
【請求項２】
前記近接機構は、前記内ケースに繞設する輪状の構造体を形成し、前記支え面に支えることを特徴とする、請求項１記載の自己回転式修正テープの構造。
【請求項３】
前記近接機構は複数の突起粒を設けられ、前記突起粒は均一に、前記内ケース外壁の径方向に設けていて、前記支え面をバランスよく支えることを特徴とする、請求項１記載の自己回転式修正テープの構造。
【請求項４】
前記外ケースは固定部を設けられ、前記内部ケースは前記固定部に対応して固定溝を設けられ、前記固定部は前記固定溝に収容することを特徴とする、請求項１記載の自己回転式修正テープの構造。
【請求項５】
前記外ケースに設けるプッシャーをさらに有し、前記プッシャーは、外部チューブと、突っ張り棒と、押しボタンと、を有する、前記突っ張り棒は移動自在にて、前記外部チューブの内部に穿設され、前記押しボタンは前記突っ張り棒の一端に設けられ、前記突っ張り棒の他端は前記内ケースに接続され、前記押しボタンを押下した後、前記突っ張り棒に連動して、前記内ケースを押し込み、前記テープ案内口を前記外ケースの前記開口部に突き出すことを特徴とする、請求項４記載の自己回転式修正テープの構造。
【請求項６】
前記突っ張り棒の他端は前記固定溝に対応して係着部を設けられ、前記係着部は前記固定溝に内設することを特徴とする、請求項５記載の自己回転式修正テープの構造。
【請求項７】
前記修正テープは表部材と、裏部材を接着して形成され、前記表部材はそのうち一つの材料巻き込みレールに巻き付けられ、前記裏部材はもう一つの前記材料巻き込みレールに巻き付けていて、かつ前記修正テープは前記テープ案内口の傾斜部に巻き付けることを特徴とする、請求項１記載の自己回転式修正テープの構造。
【請求項８】
前記外ケースの前記開口部を覆い被せて、前記テープ案内口を封止するキャップをさらに有することを特徴とする、請求項１記載の自己回転式修正テープの構造。
【考案の詳細な説明】
【技術分野】
【０００１】
本考案は間違った文字を修正する工具に関し、特に使用角度に従い自己回転し、修正テープの使用方向を改変する、自己回転式修正テープの構造に関する。
【背景技術】
【０００２】
文書または手紙を書くときは文字等の誤記を直す際に、誤記文字の上に消しゴム、修正液または修正テープなどの修正具を利用して、間違った文字や図案を塗りつぶし、または上から覆って書き直すことが一般的である。
【０００３】
修正テープは紙表面の繊維を破壊しないほか、修正液のように乾く時間を待つ必要ないという長所を有する。公知の修正テープはケースと、前記ケースの先端部に設けられたテープ案内口、と、を備える。ケースは少なくともテープ送りモジュールと接続する、テープ仕込みレールと、テープ巻き込みレールと、を設けられ、修正テープ帯体の送り出しと収容に提供し、修正テープ帯体はテープ案内口に巻き付けられている。使用するとき、修正テープ帯体に圧力を加えて、修正する表面に付着させ、誤記の文字または図案を覆った後、修正帯体の表面に文字または図案を書き直す。
【先行技術文献】
【特許文献】
【０００４】
【特許文献１】ＰＣＴ特許番号ＷＯ  ９９／６２８０７号公報
【特許文献２】ＷＯ２００７／１４４２９９  Ａ１号公報
【考案の概要】
【考案が解決しようとする課題】
【０００５】
しかし、市販修正テープのほとんどは、単一の角度のみに使用するか、またはテープ案内口の傾斜角をわずかに調節するのみで、使用者が使用するときに必要な操作手振りを大きく改変できず、使用に不便を感じる。
【０００６】
このため、ＰＣＴ特許番号ＷＯ  ９９／６２８０７号（特許文献１）公報と、ＷＯ２００７／１４４２９９  Ａ１号（特許文献２）公報は、操作の角度に従い、自動的に修正テープ帯体をその角度に密着できる修正テープの構造が開示されている。テープ送りモジュールを軸方向にて、外ケースに内設され、前記テープ送りモジュールの一端はテープ案内口を形成され、他端は枢接部を有する板体の構造を形成する。前記枢接部は、前記外ケース末端部の枢接溝に内設することによって、前記テープ送りモジュールは軸方向に移動自在にて、前記外ケースに内設することができる。
前記テープ案内口に押下する力量を利用し、テープ送りモジュールの前記外ケース内部の軸方向の回転角度を調節することによって、テープ案内口と目的平面と互いにレベルを合わせられ、修正テープ帯体を目的平面上へ平らに接着させる。しかし、使用者は一定の力量を加えないと、テープ送りモジュールの使用角度を改変することはできない。
そもそも、テープ送りモジュールがテープ案内口（すなわち、外ケースとテープ送りモジュールとの接触箇所）に隣接する場所は、力の最もかかる場所であり、テープ送りモジュールのシート状構造によって、有効な支え効果を提供することは望めない。よって、回転の滞りや強度の不足により、使用寿命に影響を与えてしまうため、普及がむずかしい。
【課題を解決するための手段】
【０００７】
本考案の一目的は、使用便利、かつ使用者の操作手振りに合わせて使用角度を改変でき、使用上の利便性が大幅に向上する、自己回転式修正テープの構造を提供する。
【０００８】
前記目的を達成するため、本考案の自己回転式修正テープの構造は、外ケースと、内ケースと、テープ送りモジュールと、を備える。外ケースの一端は封止されたチューブ状の構造体を形成され、外ケースは開口部を有し、開口部付近場所の外ケース内部は、輪状の支え面が形成されている。内ケースは移動自在にて外ケースに内設され、内ケースは、支え面に対応して近接機構を設けられ、近接機構は支え面を支えることによって、内ケースは外ケースに対して、軸方向の自転ができる。
さらに、内ケースは収容空間を内設されている。テープ送りモジュールは、内ケースの収容空間に内設され、少なくとも一対の材料巻き込みレールと、テープ案内口と、修正テープと、を有する。少なくとも一対の材料巻き込みレールは、内ケースの一端に設けられ、材料巻き込みレールは連動式に設けていて同期して回転することができる。テープ案内口は、内ケースの片側に設けられ、内ケースと外ケースを突き出して、テープ案内口は傾斜面を有する。修正テープの両端部は、それぞれ材料巻き込みレールに巻き付け、テープ案内口に巻き付ける。テープ案内口に圧力を加わると、テープ送りモジュールと内ケースを同期して軸方向に自己回転に連動され、使用者の操作手振りに合わせて、使用角度を改変し、使用上の利便性を大幅に向上させることができる。
【０００９】
本考案もう一つの目的は、前記自己回転式修正テープの構造が押下した後に、収納または延ばして使用する効果をもたせて、使用の機能性を向上させることができる、自己回転式修正テープの構造に結合するプッシャーを提供する。
【００１０】
前記目的を達成するため、本考案は外ケースに設けるプッシャーをさらに有し、プッシャーは外部チューブと、突っ張り棒と、押しボタンと、を有する。突っ張り棒は移動自在にて、外部チューブの内部に穿設され、押しボタンは突っ張り棒の一端に設けられ、突っ張り棒の他端は内ケースに接続され、押しボタンを押下した後、突っ張り棒に連動して、内ケースを押し込み、テープ案内口を外ケースの開口部に突き出して、使用上の利便性を向上させることができる。
【考案の効果】
【００１１】
以下の説明より、本考案の自己回転式修正テープの構造１は使用するとき、テープ案内口１３２は使用者の手振りにしたがって、作業の平面に圧着していて、テープ送りモジュール１３と内ケース１２を外ケース１１の内部にて同期して軸方向に自転し、テープ案内口１３２の使用角度をすばやく改変し、使用者の手振りに合わせることができ、使用上の利便性を大幅に向上させることができる。さらに、プッシャー２は突っ張り棒２１２を連動して、伸縮する特性を備えており、自己回転式修正テープの構造１を押下された後に突き出して使用するか、または引き込んで収納する機能を有し、実用性および利便性を向上させることができる。
【図面の簡単な説明】
【００１２】
【図１】本考案の実施例１の立体分解図である。
【図２】本考案の実施例１組立後の立体外観図である。
【図３】本考案の実施例１の使用態様図である。
【図４】本考案の実施例１他の実施態様による構造態様図である。
【図５】本考案の実施例２の立体分解図である。
【図６】本考案の実施例２組立後の立体外観図である。
【図７】本考案の実施例２における組立後の断面視図である。
【考案を実施するための形態】
【００１３】
本考案の内容のさらなる理解を図るため、下記の説明に図式を組み合わせ、参考に供する。
【実施例１】
【００１４】
図１ないし３の本考案の実施例１の立体分解図、立体外観図及び組み立て後の立体外観図を参照する。図示のとおり、本考案の自己回転式修正テープの構造１は外ケース１１と、内ケース１２と、テープ送りモジュール１３と、キャップ１４と、を備える。
【００１５】
そのうち、外ケース１１は前部ブッシング１１１と、後部チューブ１１２によって、一端を封止された管状の構造体を形成していて、かつ前部ブッシング１１１の一端は開口部１１１１を設けられ、前部ブッシング１１１の内壁は輪状の支え面１１１２を形成され、後部チューブ１１２の後部段の封止端外部は、固定部１１２１を設けられている。
【００１６】
内ケース１２は２つのケースの片方１２１を並置して組み合わせられ、内部に収容空間（図示しない）を形成する。内ケース１２は移動自在にて外ケース１１に内設していて、かつ内ケース１２は支え面１１１２に対応して、近接機構１２２を設けられ、近接機構１２２は内ケース１２に繞設された輪状の構造体を形成し、支え面１１１２を支えることによって、内ケース１２は外ケース１１に対して軸方向の自転ができる。さらに、内ケース１２の一端は、固定部１１２１に対応固定溝１２３を設けられ、内ケース１２を外ケース１１の内部に組み付けた後、固定部１１２１は固定溝１２３の内部に収容され、内ケース１２と外ケース１１との間に多点支持の支え効果を形成し、回転がより安定となり、ぐらつくことはない。
【００１７】
テープ送りモジュール１３は内ケース１２の収容空間に内設されている。少なくとも一対の材料巻き込みレール１３１は内ケース１２の一端に設けられ、材料巻き込みレール１３１は歯車部または他の伝動具（図示しない）を介して連動を形成するため、同期して同方向に回転することができる。テープ案内口１３２は内ケース１２の片側に設けられ、かつ内ケース１２と外ケース１１の外部に突き出されている。
テープ案内口１３２は傾斜部１３２１を設けられ、テープ案内口１３２と内ケース１２との間は微調整機構１３２２を設けることによって、テープ案内口１３２は内ケース１２に対してわずかな角度の微調整ができる。修正テープ１３３は表部材１３３１と、裏部材１３３２とを接着して構成され、両端部はそれぞれ材料巻き込みレール１３１に巻き付けた後、テープ案内口１３２を巻き付ける。そのうち、表部材１３３１はそのうち一つの材料巻き込みレール１３１に巻き付け、裏部材１３３２はもう一つの材料巻き込みレール１３１に巻き付ける。修正テープ１３３はテープ案内口１３２を巻き付けることによって、表部材１３３１はテープ案内口１３２を介して作業の平面に接着され、裏部材１３３２はもう一つの材料巻き込みレール１３１によって回収される。
【００１８】
キャップ１４は外ケース１１の開口部１１１１に設けられ、外ケース１１とテープ案内口１３２に覆い被せることができる。
【００１９】
引き続き、本考案の実施例１他の実施態様による構造態様図を参照する。図示のとおり、内ケース１２の近接機構１２２は複数の突起粒を形成していて、かつ突起粒は均一に内ケース１２外壁の径方向に設けられ、バランスよく支え面１１１２に支えて置き、近接機構１２２と支え面１１１２との間の支え面積を少なくして、回転時の受ける摩擦力を軽減し、内ケース１２が外ケース１１の内部にて、より容易に回転できる。
【実施例２】
【００２０】
図５ないし７の本考案の実施例２の立体分解図、組立後の立体分解図と組立後の立体外観図を参照する。これらの図示と、前記各図面を合わせて参照する。本実施例は前記実施例をプッシャー２に結合されたものであり、外ケース１１の前部ブッシング１１１と後部チューブ１１２はそれぞれ開口部を設けられている。そのうち、プッシャー２は外部チューブ２１によって、後部チューブ１１２の内部に組みつけられ、外部チューブ２１の一端は押しボタン２１１を設けられ、後部チューブ１１２の外部に露出され、他端は突っ張り棒２１２を設けられ、押しボタン２１１と突っ張り棒２１２は互いに接続していて、かつ突っ張り棒２１２の一端は内ケース１２と接続されている。押しボタン２１１を押下した後、突っ張り棒２１２を連動して、内ケース１２を移動させ、テープ案内口１３２が外ケース１１の開口部１１１１を突き出される。さらに、突っ張り棒２１２の一端は固定溝１２３に対応して、係着部２１２１を設けられ、係着部２１２１を固定溝１２３に内設することによって、内ケース１２と、突っ張り棒２１２を一体に係着される。
【符号の説明】
【００２１】
１：自己回転式修正テープの構造
１１：外部ケース
１１１：前部ブッシング
１１１１：開口部
１１１２：支え面
１１２：後部チューブ
１１２１：固定部
１２：内ケース
１２１：ケースの片方
１２２：近接機構
１２３：固定溝
１３：テープ送りモジュール
１３１：材料巻き込みレール
１３２：テープ案内口
１３２１：傾斜部
１３２２：微調整機構
１３３：修正テープ
１３３１：表部材
１３３２：裏部材
１４：キャップ
２：プッシャー
２１：外部チューブ
２１１：押しボタン
２１２：突っ張り棒
２１２１：係着部
【図１】
0003175432.tif 000003
【図２】
0003175432.tif 000004
【図３】
0003175432.tif 000005
【図４】
0003175432.tif 000006
【図５】
0003175432.tif 000007
【図６】
0003175432.tif 000008
【図７】
0003175432.tif 000009